(57)【特許請求の範囲】
【請求項１】
画像を表示する画像表示部を備えた撮影装置において、
前記画像表示部に、現在撮影中のスルー画像を表示するスルー画像表示手段と、
前記画像表示部に再生画像を表示する再生画像表示手段と、
前記スルー画像表示手段が表示したスルー画像中において焦点合わせ用のフォーカス枠を表示するフォーカス枠表示手段と、
前記フォーカス枠表示手段が表示した前記フォーカス枠を、前記画像表示部に表示されたスルー画像の変化に基づいて移動させるフォーカス枠移動手段と、
前記フォーカス枠の前記スルー画像中における位置と前記再生画像に対する処理内容とを対応付けて、階層化されたメニューとして予め記憶する処理内容記憶手段と、
前記フォーカス枠の移動に基づき、前記処理内容記憶手段を参照し、移動した前記フォーカス枠の前記スルー画像中における位置に対応付けされた処理内容を取得し、前記取得した処理内容が、最下位層のメニューであると判定した場合、前記再生画像に対する処理を実行する処理実行手段と、を備え、
前記処理内容記憶手段は、前記再生画像の画像編集内容を、予め設定された前記再生画像に対する処理内容として、前記フォーカス枠の前記スルー画像中における位置と対応付けて記憶し、
前記処理実行手段は、前記フォーカス枠が移動したときに、前記処理内容記憶手段を参照して、前記フォーカス枠の前記スルー画像中における位置に対応付けされた画像編集処理内容を取得し、前記画像表示部に表示された前記スルー画像における前記フォーカス枠の前記スルー画像中における位置と前記画像表示部に表示された前記再生画像の位置との対応関係に基づいて、前記画像編集する位置を指定し、指定した位置を中心に前記再生画像の画像編集を実行する、
ことを特徴とする撮影装置。
【請求項２】
前記処理内容記憶手段は、表示倍率を変更する処理内容を、予め設定された前記再生画像の画像編集内容として、前記フォーカス枠の前記スルー画像中における位置と対応付けて記憶し、
前記処理実行手段は、前記フォーカス枠が移動したときに、前記処理内容記憶手段を参照して、前記フォーカス枠の前記スルー画像中における位置に対応付けされた画像編集処理内容を取得し、前記画像表示部に表示された前記スルー画像における前記フォーカス枠の前記スルー画像中における位置と前記画像表示部に表示された前記再生画像の位置との対応関係に基づいて、前記画像編集する位置を指定し、指定した位置を中心に前記再生画像の表示倍率を変更する画像編集を実行する、
ことを特徴とする請求項１に記載の撮影装置。
【請求項３】
画像を表示する画像表示部を備えた撮影装置の処理実行方法であって、
前記画像表示部にスルー画像を表示するステップと、
前記画像表示部に再生画像を表示するステップと、
表示したスルー画像中において焦点合わせ用のフォーカス枠を表示するステップと、
表示した前記フォーカス枠を、前記スルー画像の変化に基づいて移動させるステップと、
前記フォーカス枠の前記スルー画像中における位置と前記再生画像に対する処理内容とを対応付けて、階層化されたメニューとして予め記憶するステップと、
前記フォーカス枠の移動に基づき、前記処理内容を参照し、移動した前記フォーカス枠の前記スルー画像中における位置に対応付けされた処理内容を取得し、前記取得した処理内容が、最下位層のメニューであると判定した場合、前記再生画像に対する処理を実行するステップと、を含み、
前記記憶するステップでは、前記再生画像の画像編集内容を、予め設定された前記再生画像に対する処理内容として、前記フォーカス枠の前記スルー画像中における位置と対応付けて記憶し、
前記実行するステップでは、前記フォーカス枠が移動したときに、前記処理内容を参照して、前記フォーカス枠の前記スルー画像中における位置に対応付けされた画像編集処理内容を取得し、前記画像表示部に表示された前記スルー画像における前記フォーカス枠の前記スルー画像中における位置と前記画像表示部に表示された前記再生画像の位置との対応関係に基づいて、前記画像編集する位置を指定し、指定した位置を中心に前記再生画像の画像編集を実行する、
ことを特徴とする撮影装置の処理実行方法。
【請求項４】
コンピュータを、
画像を表示する画像表示部にスルー画像を表示する手段、
画像を表示する画像表示部に再生画像を表示する手段、
表示した前記スルー画像中において焦点を合わせ用のフォーカス枠を表示する手段、
表示した前記フォーカス枠を、前記スルー画像の変化に基づいて移動させる手段、
前記フォーカス枠の前記スルー画像中における位置と前記再生画像に対する処理内容とを対応付けて、階層化されたメニューとして処理内容記憶部に予め記憶する手段、
前記フォーカス枠の移動に基づき、前記処理内容記憶部を参照し、移動した前記フォーカス枠の前記スルー画像中における位置に対応付けされた処理内容を取得し、前記取得した処理内容が、最下位層のメニューであると判定した場合、前記再生画像に対する処理を実行する手段、として機能させ、
前記記憶する手段は、前記再生画像の画像編集内容を、予め設定された前記再生画像に対する処理内容として、前記フォーカス枠の前記スルー画像中における位置と対応付けて前記処理内容記憶部に記憶し、
前記実行する手段は、前記フォーカス枠が移動したときに、前記処理内容を参照して、前記フォーカス枠の前記スルー画像中における位置に対応付けされた画像編集処理内容を取得し、前記画像表示部に表示された前記スルー画像における前記フォーカス枠の前記スルー画像中における位置と前記画像表示部に表示された前記再生画像の位置との対応関係に基づいて、前記画像編集する位置を指定し、指定した位置を中心に前記再生画像の画像編集を実行するよう、
機能させるためのプログラム。
【発明の詳細な説明】
【技術分野】
【０００１】
本発明は、撮影装置、撮影装置の処理実行方法及びプログラムに関するものである。
【背景技術】
【０００２】
従来、操作ボタンの数を削減し、操作を容易とするために、画像表示部としてのモニタにタッチパネルを備え、このタッチパネルを用いて操作を行うデジタルカメラがある（例えば、特許文献１参照）。
【０００３】
このタッチパネルには、予め設定された位置に操作信号を入力するスイッチが割り当てられ、このデジタルカメラは、割り当てられたスイッチが操作されると、撮影画像又は再生画像に対する処理を実行する。
【特許文献１】特開２００６−１６６２４８号公報（第６−７頁、図１−３）
【発明の開示】
【発明が解決しようとする課題】
【０００４】
しかし、従来のデジタルカメラでは、タッチパネルで操作を行う場合、操作ボタンの数を削減できるものの、ユーザが指で直接モニタにタッチするためにモニタが汚れてしまうという不都合がある。
【０００５】
本発明は、このような従来の問題点に鑑みてなされたもので、画像表示部に触れなくても撮影画像又は再生画像に対する処理を実行することが可能な撮影装置、撮影装置の処理実行方法及びプログラムを提供することを目的とする。
【０００６】
また、操作を容易とすることが可能な撮影装置、撮影装置の処理実行方法及びプログラムを提供することを目的とする。
【課題を解決するための手段】
【０００７】
この目的を達成するため、本発明の第１の観点に係る撮影装置は、
画像を表示する画像表示部を備えた撮影装置において、
前記画像表示部に、現在撮影中のスルー画像を表示するスルー画像表示手段と、
前記画像表示部に再生画像を表示する再生画像表示手段と、
前記スルー画像表示手段が表示したスルー画像中において焦点合わせ用のフォーカス枠を表示するフォーカス枠表示手段と、
前記フォーカス枠表示手段が表示した前記フォーカス枠を、前記画像表示部に表示されたスルー画像の変化に基づいて移動させるフォーカス枠移動手段と、
前記フォーカス枠の前記スルー画像中における位置と前記再生画像に対する処理内容とを対応付けて、階層化されたメニューとして予め記憶する処理内容記憶手段と、
前記フォーカス枠の移動に基づき、前記処理内容記憶手段を参照し、移動した前記フォーカス枠の前記スルー画像中における位置に対応付けされた処理内容を取得し、前記取得した処理内容が、最下位層のメニューであると判定した場合、前記再生画像に対する処理を実行する処理実行手段と、を備え、
前記処理内容記憶手段は、前記再生画像の画像編集内容を、予め設定された前記再生画像に対する処理内容として、前記フォーカス枠の前記スルー画像中における位置と対応付けて記憶し、
前記処理実行手段は、前記フォーカス枠が移動したときに、前記処理内容記憶手段を参照して、前記フォーカス枠の前記スルー画像中における位置に対応付けされた画像編集処理内容を取得し、前記画像表示部に表示された前記スルー画像における前記フォーカス枠の前記スルー画像中における位置と前記画像表示部に表示された前記再生画像の位置との対応関係に基づいて、前記画像編集する位置を指定し、指定した位置を中心に前記再生画像の画像編集を実行する、
ことを特徴とする。
【００１２】
前記処理内容記憶手段は、表示倍率を変更する処理内容を、予め設定された前記再生画像の画像編集内容として、前記フォーカス枠の前記スルー画像中における位置と対応付けて記憶し、
前記処理実行手段は、前記フォーカス枠が移動したときに、前記処理内容記憶手段を参照して、前記フォーカス枠の前記スルー画像中における位置に対応付けされた画像編集処理内容を取得し、前記画像表示部に表示された前記スルー画像における前記フォーカス枠の前記スルー画像中における位置と前記画像表示部に表示された前記再生画像の位置との対応関係に基づいて、前記画像編集する位置を指定し、指定した位置を中心に前記再生画像の表示倍率を変更する画像編集を実行するようにしてもよい。
【００１３】
本発明の第２の観点に係る撮影装置の処理実行方法は、
画像を表示する画像表示部を備えた撮影装置の処理実行方法であって、
前記画像表示部にスルー画像を表示するステップと、
前記画像表示部に再生画像を表示するステップと、
表示したスルー画像中において焦点合わせ用のフォーカス枠を表示するステップと、
表示した前記フォーカス枠を、前記スルー画像の変化に基づいて移動させるステップと、
前記フォーカス枠の前記スルー画像中における位置と前記再生画像に対する処理内容とを対応付けて、階層化されたメニューとして予め記憶するステップと、
前記フォーカス枠の移動に基づき、前記処理内容を参照し、移動した前記フォーカス枠の前記スルー画像中における位置に対応付けされた処理内容を取得し、前記取得した処理内容が、最下位層のメニューであると判定した場合、前記再生画像に対する処理を実行するステップと、を含み、
前記記憶するステップでは、前記再生画像の画像編集内容を、予め設定された前記再生画像に対する処理内容として、前記フォーカス枠の前記スルー画像中における位置と対応付けて記憶し、
前記実行するステップでは、前記フォーカス枠が移動したときに、前記処理内容を参照して、前記フォーカス枠の前記スルー画像中における位置に対応付けされた画像編集処理内容を取得し、前記画像表示部に表示された前記スルー画像における前記フォーカス枠の前記スルー画像中における位置と前記画像表示部に表示された前記再生画像の位置との対応関係に基づいて、前記画像編集する位置を指定し、指定した位置を中心に前記再生画像の画像編集を実行する、
ことを特徴とする。
【００１４】
本発明の第３の観点に係るプログラムは、
コンピュータを、
画像を表示する画像表示部にスルー画像を表示する手段、
画像を表示する画像表示部に再生画像を表示する手段、
表示した前記スルー画像中において焦点を合わせ用のフォーカス枠を表示する手段、
表示した前記フォーカス枠を、前記スルー画像の変化に基づいて移動させる手段、
前記フォーカス枠の前記スルー画像中における位置と前記再生画像に対する処理内容とを対応付けて、階層化されたメニューとして処理内容記憶部に予め記憶する手段、
前記フォーカス枠の移動に基づき、前記処理内容記憶部を参照し、移動した前記フォーカス枠の前記スルー画像中における位置に対応付けされた処理内容を取得し、前記取得した処理内容が、最下位層のメニューであると判定した場合、前記再生画像に対する処理を実行する手段、として機能させ、
前記記憶する手段は、前記再生画像の画像編集内容を、予め設定された前記再生画像に対する処理内容として、前記フォーカス枠の前記スルー画像中における位置と対応付けて前記処理内容記憶部に記憶し、
前記実行する手段は、前記フォーカス枠が移動したときに、前記処理内容を参照して、前記フォーカス枠の前記スルー画像中における位置に対応付けされた画像編集処理内容を取得し、前記画像表示部に表示された前記スルー画像における前記フォーカス枠の前記スルー画像中における位置と前記画像表示部に表示された前記再生画像の位置との対応関係に基づいて、前記画像編集する位置を指定し、指定した位置を中心に前記再生画像の画像編集を実行するよう、
機能させるためのものである。
【発明の効果】
【００１５】
本発明によれば、画像表示部に触れなくても撮影画像又は再生画像に対する処理を実行することができる。また、操作を容易とすることができる。
【発明を実施するための最良の形態】
【００１６】
以下、本発明の実施形態に係る撮影装置を図面を参照して説明する。尚、本実施形態では、撮影装置をデジタルカメラとして説明する。
（実施形態１）
実施形態１に係るデジタルカメラの構成を図１に示す。
実施形態１に係るデジタルカメラ１は、ＣＣＤ１１と、タイミング発生器（図中、「ＴＧ」と記す。）１２と、光学系駆動回路１３と、レンズ１４と、レンズ駆動回路１５と、Ａ／Ｄ変換器１６と、カラープロセス回路１７と、ＡＦ処理部１８と、画像処理部１９と、静止画変換部２０と、動き検出部２１と、動画変換部２２と、ＬＥＤ部２３と、表示部２４と、オーディオ部２５と、Ｉ／Ｏポート２６と、入力部２７と、外部メモリＩ／Ｆ２８と、ＳＤＲＡＭ２９と、フラッシュメモリ３０と、制御部３１と、を備える。
【００１７】
このデジタルカメラ１は、図２に示すように、上面にシャッタボタン１ａを備え、背面にダイレクト撮影ボタン１ｂと、ダイレクト再生ボタン１ｃと、液晶モニタ１ｄと、を備える。
【００１８】
シャッタボタン１ａは、撮影するためのキーである。シャッタボタン１ａは２段階のストローク操作で動作するように構成されている。第１のストロークは、一般に「半押し」、「ハーフシャッタ」と呼ばれる状態のストロークであり、ＡＦ（Auto Focus）処理、ＡＥ（Automatic Exposure）処理を実行して合焦（ピント合わせ）状態と露出状態とを設定するためのストロークである。
【００１９】
第２のストロークは、「全押し」と呼ばれる状態のストロークであり、第１のストロークで設定された合焦状態と露出状態とで撮影を行うためのストロークである。
【００２０】
ダイレクト撮影ボタン１ｂは、デジタルカメラ１のモードを撮影モードに設定するためのボタンであり、ダイレクト再生ボタン１ｃは、デジタルカメラ１のモードを再生モードに設定するためのボタンである。
【００２１】
このデジタルカメラ１は、ピント合わせを行うフォーカス領域を示すＡＦ枠を液晶モニタ１ｄに表示させ、デジタルカメラ１の向きを変えたり、デジタルカメラ１を移動させたりして、被写体が移動した場合に、被写体に追従させてＡＦ枠も移動させ、ピント合わせを行う機能を有する。
【００２２】
また、このデジタルカメラ１は、このようなＡＦ枠を利用し、タッチパネルを用いなくても液晶モニタ上でメニューを選択し、カメラ設定を行えるように構成されている。
【００２３】
図１に戻り、ＣＣＤ（Charge Coupled Device;電荷結合素子）１１は、受光（撮影）範囲内の光を受光して、この受光範囲内の撮影画像を取得する撮像素子である。ＣＣＤ１１は、受光した光の信号を電気信号に変換してＲＧＢ信号による画像を出力する。
【００２４】
尚、このデジタルカメラ１は、高解像度画像と低解像度画像との取得可能なものである。高解像度画像は、ＣＣＤ１１の全画素から出力される信号を用いて得られる画像である。
【００２５】
低解像度画像は、ＣＣＤ１１の全画素の出力信号を間引いて得られる画像である。低解像度画像の場合、画像解像度は、例えば、１０２４×７６８ドット（ＸＧＡ；eXtended Graphics Array）程度であり、解像度は低いものの３０fps（フレーム/秒）の速さで画像読み出しが可能になる。低解像度画像は、スルー（through）画像として定期的に液晶モニタ１ｄに表示される。
【００２６】
タイミング発生器（図中、「ＴＧ」と記す。）１２は、ＣＣＤ１１を駆動して映像信号を取り込むためのタイミング信号を生成するものである。タイミング発生器１２は、制御部３１から、シャッタ速度を示すシャッタ速度信号が供給され、供給されたシャッタ速度に基づいてタイミング信号を生成する。そして、タイミング発生器１２は、生成したタイミング信号を光学系駆動回路１３に供給する。
【００２７】
光学系駆動回路１３は、ＣＣＤ１１を駆動するものである。光学系駆動回路１３は、タイミング発生器１２から供給されたタイミング信号に従ってフレームシフトパルス信号及びライン転送パルス信号を生成し、生成したフレームシフトパルス信号及びライン転送パルス信号を用いてＣＣＤ１１を駆動する。
【００２８】
レンズ１４は、ＣＣＤ１１の撮像面上に、撮影対象からの光による画像を結像させるためのものであり、撮影レンズ、フォーカスレンズ、（図示せず）、ズームレンズ（図示せず）によって構成される。レンズ１４は、デジタルカメラ１の前面に設けられる。
【００２９】
レンズ駆動回路１５は、レンズ１４を駆動するものである。レンズ駆動回路１５は、制御部３１から、ピントが合うようにレンズ１４の位置を制御するためのレンズ制御信号が供給され、供給されたレンズ制御信号に基づいてピントが合う位置までレンズ１４を駆動する。
【００３０】
Ａ／Ｄ変換器（図中、「ＡＤ」と記す。）１６は、ＣＣＤ１１が出力したアナログのＲＧＢ信号をデジタルのＲＧＢ信号に変換する回路であり、変換したＲＧＢ画像データをカラープロセス回路１７に供給する。
【００３１】
カラープロセス回路１７は、Ａ／Ｄ変換器１６から出力されたデジタルのＲＧＢ信号に対して画素補間処理及び補正処理を含むカラープロセス処理を施すものである。
【００３２】
カラープロセス回路１７は、カラープロセス処理として、Ａ／Ｄ変換器１６から出力されたＲＧＢ信号に対して、ホワイトバランス補正、γ補正を行い、このような補正が行われたＲＧＢ信号から輝度信号及び色差信号を生成する。
【００３３】
カラープロセス回路１７は、このように生成した輝度信号をＡＦ処理部１８に供給し、輝度信号及び色差信号による画像データを画像処理部１９のセンサ画像記憶領域１９１，１９２に書き込む。
【００３４】
ＡＦ処理部１８は、ピント（焦点）を合わせる被写体の焦点評価値を生成するものである。この焦点評価値は自動露出制御に用いられるものである。
【００３５】
本実施形態のデジタルカメラ１は、例えば、コントラスト方式を用いてピント合わせを行うものとする。このコントラスト方式は、輝度信号の振幅に基づいてピント合わせを行う方式である。
【００３６】
ＡＦ処理部１８は、カラープロセス回路１７から輝度信号を取得し、ＡＦ枠に対応するフォーカス領域における輝度信号の振幅を数値化して焦点評価値を取得する。この焦点評価値は、ピントが合っている度合いを示すものであり、ピントが合って輝度信号の振幅が大きくなるほど、焦点評価値は高くなる。ＡＦ処理部１８は、算出した焦点評価値を制御部３１に供給する。
【００３７】
画像処理部１９は、カラープロセス回路１７から供給された画像に対して画像処理を行うためのものである。画像処理部１９は、画像メモリ１９０を備える。
【００３８】
画像メモリ１９０は、画像データを記憶するものであり、図３に示すように、センサ画像記憶領域１９１，１９２と、処理画像記憶領域１９３と、表示画像記憶領域１９４と、が設けられる。
【００３９】
センサ画像記憶領域１９１，１９２は、ともに、カラープロセス回路１７から供給された撮影画像のデータを記憶する領域であり、カラープロセス回路１７は、撮影画像のデータを、このセンサ画像記憶領域１９１，１９２を交互に書き込む。処理画像記憶領域１９３は、画像処理に必要な画像データを記憶する領域であり、ＡＦ枠の画像データ、メニューのアイコンデータが記憶される。
【００４０】
図４に示すように、このＡＦ枠４１は、液晶モニタ１ｄに表示されてピント合わせを行うフォーカス領域の位置を示すものである。
【００４１】
メニューは、撮影条件等を選択するためのものであり、図５に示すように、階層化されて処理画像記憶領域１９３に予め記憶される。
【００４２】
メインメニューは、最上位のメニューであり、メインメニューの下位には、撮影設定、画質設定、設定の各メニューが予め階層化されている。各メニューアイコンは、図６に示すように、液晶モニタ１ｄの上端に表示される。
【００４３】
撮影設定メニューは、撮影条件を設定するためのメニューを示すものであり、この撮影設定メニューの下位には、撮影モード、フォーカス方式、連写、セルフタイマー、ブレ軽減の各メニューが予め階層化されている。この撮影設定メニューと各メニューアイコンとは、液晶モニタ１ｄの図７に示すような位置（座標）に表示される。
【００４４】
セルフタイマーメニューは、セルフタイマーを選択するためのメニューであり、このセルフタイマーメニューには、１０秒、２秒、切りの各セルフタイマー条件が予め階層化されている。このセルフタイマーメニューと各セルフタイマー条件アイコンとは、液晶モニタ１ｄの図８に示すような位置に表示される。
【００４５】
図３に示す表示画像記憶領域１９４は、表示する画像データを記憶する領域である。画像処理部１９又は制御部３１は、液晶モニタ１ｄに表示する画像データ、アイコンデータを、この表示画像記憶領域１９４に書き込む。
【００４６】
画像処理部１９は、制御部３１によって静止画を生成するように制御されると、画像データをセンサ画像記憶領域１９１，１９２から交互に取得して静止画変換部２０に供給する。
【００４７】
そして、画像処理部１９は、静止画変換部２０から静止画の画像データが供給され、供給された静止画に対する画像処理を行う。画像処理部１９は、画像処理して生成した画像データを表示画像記憶領域１９４に書き込む。
【００４８】
画像処理部１９は、制御部３１によって動画を生成するように制御されると、画像データをセンサ画像記憶領域１９１，１９２から交互に取得して動き検出部２１に供給する。
【００４９】
画像処理部１９は、動き検出部２１から動きベクトルが供給されると、供給された動きベクトルと画像データとを動画変換部２２に供給する。画像処理部１９は、動画変換部２２から動画の画像データが供給されると、この画像データを表示画像記憶領域１９４に書き込む。
【００５０】
静止画変換部２０は、画像処理部１９から供給された画像データを静止画の画像データに変換するものであり、変換した静止画の画像データを画像処理部１９に供給する。
【００５１】
動き検出部２１は、画像処理部１９から供給された画像データに基づいて動きベクトルを検出するものであり、検出した動きベクトルを画像処理部１９に供給する。
【００５２】
動画変換部２２は、画像処理部１９から供給された動きベクトルに基づいて画像データを動画の画像データに変換するものであり、変換した動画の画像データを画像処理部１９に供給する。
【００５３】
ＬＥＤ部２３は、各種情報を表示するためのものである。表示部２４は、画像、メニューアイコンを表示させるものである。表示部２４は、画像メモリ１９０の表示画像記憶領域１９４から、書き込まれた画像データを取得し、取得した画像データに基づいて、液晶モニタ１ｄに、画像、メニューアイコンを表示する。
【００５４】
オーディオ部２５は、音声を入出力するものである。Ｉ／Ｏポート２６は、画像データ等のデータを入出力するものである。
【００５５】
入力部２７は、ユーザが図２に示すシャッタボタン１ａ、ダイレクト撮影ボタン１ｂ、ダイレクト再生ボタン１ｃを操作することによって入力された操作情報、データを受け付けるためのものである。入力部２７は、受け付けた操作情報、データを制御部３１に供給する。
【００５６】
ＳＤＲＡＭ（Synchronous Random Access Memory）２９は、外部クロックに同期して動作するメモリであり、画像データ等を記憶する。
【００５７】
フラッシュメモリ（flash memory）３０は、不揮発性のメモリであり、画像データ等を記憶する。
【００５８】
外部メモリＩ／Ｆ２８は、画像データ等を記憶する外部メモリ３２との間でデータの入出力を行うものである。
【００５９】
制御部３１は、デジタルカメラ１の各部を制御するものであり、ＣＰＵ（Central Processing Unit）とＲＯＭ（Read Only Memory）とＲＡＭ（Random Access Memory）とを備える（いずれも図示せず）。
【００６０】
ＲＯＭは、プログラムデータ等を記憶するメモリである。また、ＲＯＭは、図９に示すようなテーブルを予め記憶する。このテーブルは、ＡＦ枠４１のスルー画像中における位置と撮影画像に対する処理内容とを対応付けるためのテーブルである。
【００６１】
このテーブルは、例えば、ダイレクト撮影ボタンが操作されて、図６に示すメインメニューが表示されている場合に、ＡＦ枠４１のスルー画像中における表示座標（位置）と撮影設定のアイコンの表示座標（位置）とが一致（対応）したとき、実行される処理内容は、図７に示す撮影設定メニューのアイコンを表示する操作処理であることを示す。
【００６２】
ＲＡＭは、ＣＰＵがプログラム等を実行するのに必要なデータを記憶するためのメモリである。ＣＰＵは、実際に各処理を行うものである。また、制御部３１は、時間を計測するタイマを備え、ＲＯＭは、この計測した時間と比較するための予め設定された時間を記憶する。
【００６３】
そして、制御部３１は、入力部２７から供給された操作情報に基づいてＲＯＭから各処理のプログラムデータを読み出し、このプログラムに従って各処理を実行する。
【００６４】
次に実施形態１に係るデジタルカメラ１の動作を説明する。
制御部３１は、デジタルカメラ１の電源がオンし、入力部２７から、ダイレクト撮影ボタン１ｂが押下された旨の操作情報が供給されたとき、ＲＯＭから、ダイレクト撮影ボタン操作処理のプログラムデータを読み出し、図１０に示すフローチャートに従い、このダイレクト撮影ボタン操作処理を実行する。
【００６５】
制御部３１は、ＡＦ枠４１を液晶モニタ１ｄの中央に表示させ、図６に示す各メニューアイコンを液晶モニタ１ｄに表示させる（ステップＳ１１）。
【００６６】
制御部３１は、このような処理を行うため、ＡＦ枠４１の画像データを処理画像記憶領域１９３から読み出し、読み出したＡＦ枠４１の画像データを、表示座標を液晶モニタ１ｄの中心に指定して表示画像記憶領域１９４に書き込む。そして、制御部３１は、表示部２４を制御してＡＦ枠４１を液晶モニタ１ｄの中央に表示させる。
【００６７】
また、制御部３１は、図６に示す各メニューのアイコンデータを処理画像記憶領域１９３から読み出し、表示座標を液晶モニタ１ｄの上部に指定してこれらのアイコンデータを表示画像記憶領域１９４に書き込む。そして、制御部３１は、表示部２４を制御して、この各メニューアイコンを液晶モニタ１ｄの中央に表示させる。
【００６８】
制御部３１は、低解像度のスルー画像を表示するように、タイミング発生器１２に信号を供給し、画像処理部１９、表示部２４を制御する（ステップＳ１２）。そして、制御部３１は、このダイレクト撮影ボタン操作処理を終了させる。
【００６９】
制御部３１は、入力部２７から、シャッタボタン１ａが半押しされた旨の操作情報が供給されると、ＲＯＭから、シャッタボタン半押し操作処理（１）のプログラムデータを読み出し、図１１に示すフローチャートに従い、このシャッタボタン半押し操作処理（１）を実行する。
【００７０】
制御部３１は、ＡＦ枠４１に対応する被写体を、ピントを合わせる被写体と判別して、このＡＦ枠４１内の被写体にピントを合わせる（ステップＳ２１）。
【００７１】
制御部３１は、被写体にピントを合わせるため、ＡＦ処理部１８から供給された焦点評価値が最大となるようなレンズ位置を判別する。制御部３１は、判別したレンズ位置にレンズ１４を移動させるためのレンズ制御信号をレンズ駆動回路１５に供給することにより、ＡＦ制御を行い、被写体にピントを合わせる。
【００７２】
制御部３１は、カラープロセス回路１７から輝度信号を取得してＡＥ制御を行う（ステップＳ２２）。制御部３１は、カラープロセス回路１７から取得した輝度信号が示す輝度値を積分してＣＣＤ１１の受光範囲内の露光量を取得する。
【００７３】
制御部３１は、取得した露光量に基づいて露出値を設定し、この露出値となるように、シャッタ速度を設定する。そして、制御部３１は、設定したシャッタ速度を示すシャッタ速度信号をタイミング発生器１２に供給することにより、ＡＥ制御を行う。
【００７４】
制御部３１は、ＡＦ枠４１を被写体に追従させる（ステップＳ２３）。制御部３１は、スルー画像を取得する毎に、このスルー画像から被写体の特徴データを取得して、処理画像記憶領域１９３に記憶する。
【００７５】
そして、制御部３１は、処理画像記憶領域１９３に記憶した特徴データを比較し、デジタルカメラ１の向きを変わることによるスルー画像の変化を判別し、スルー画像の移動方向と移動後の位置とを判別する。制御部３１は、判別したスルー画像の移動方向と移動後の位置とに基づいてＡＦ枠４１を被写体に追従させる。
【００７６】
制御部３１は、ＡＦ枠４１のスルー画像中における表示座標とメニューアイコンの表示座標とを比較することにより、液晶モニタ１ｄに表示されたＡＦ枠４１の表示座標とメニューアイコンの表示座標とが一致したか否かを判定する（ステップＳ２４）。
【００７７】
ＡＦ枠４１の表示座標とメニューアイコンの表示座標とは一致していないと判定した場合（ステップＳ２４；Ｎｏ）、制御部３１は、再度、ステップＳ２３を実行する。
【００７８】
一方、ＡＦ枠４１の表示座標とメニューアイコンの表示座標とが一致したと判定した場合（ステップＳ２４；Ｙｅｓ）、制御部３１は、ＡＦ枠４１とメニューアイコンとが一致したときからの時間を計測する（ステップＳ２５）。
【００７９】
制御部３１は、ＲＯＭから、予め設定された時間を読み出して、計測した時間と比較し、計測した時間が、予め設定された時間を越えたか否かを判定する（ステップＳ２６）。
【００８０】
計測した時間が、予め設定された時間を越えていないと判定した場合（ステップＳ２６；Ｎｏ）、制御部３１は、再度、ＡＦ枠４１の表示座標とメニューアイコンの表示座標とが一致したか否かを判定する（ステップＳ２４）。
【００８１】
計測した時間が、予め設定された時間を越えたと判定した場合（ステップＳ２６；Ｙｅｓ）、制御部３１は、ＡＦ枠４１と一致したアイコンのメニューが選択されたと判定する。
【００８２】
制御部３１は、このように判定すると、図９に示すテーブルを参照し、移動したＡＦ枠４１の座標に対応付けされた処理内容を判別する。制御部３１は、判別した処理内容として選択されたメニューアイコンを画像メモリ１９０の処理画像記憶領域１９３から読み出し、表示座標を指定して表示画像記憶領域１９４に書き込む。そして、制御部３１は、このメニューを液晶モニタ１ｄに表示するように表示部２４を制御する（ステップＳ２７）。
【００８３】
制御部３１は、選択されたメニューが最下位層のメニューか否かを判定する（ステップＳ２８）。
【００８４】
選択されたメニューが最下位層のメニューではないと判定した場合（ステップＳ２８；Ｎｏ）、制御部３１は、再度、ステップＳ２３〜Ｓ２７の処理を実行する。
【００８５】
選択されたメニューが最下位層のメニューであると判定した場合（ステップＳ２８；Ｙｅｓ）、制御部３１は、図９に示すテーブルを参照し、移動したＡＦ枠４１の座標に対応付けされた処理内容を判別し、このメニューのコマンドを発行する（ステップＳ２９）。
【００８６】
制御部３１は、カメラの設定を実行し（ステップＳ２９）、このシャッタボタン半押し操作処理（１）を終了させる。
【００８７】
制御部３１は、入力部２７から、シャッタボタン１ａが全押しされた旨の操作情報が供給されると、ＲＯＭから、シャッタボタン全押し操作処理のプログラムデータを読み出す。そして、制御部３１及び画像処理装置１９は、図１２に示すフローチャートに従い、このシャッタボタン全押し操作処理を実行する。
【００８８】
制御部３１は、各部を制御して撮影を行う（ステップＳ４１）。制御部３１は、タイミング発生器１２にシャッタ速度信号を供給することにより、撮影を行い、画像処理を行うように画像処理部１９に指示する。
【００８９】
画像処理部１９は、センサ画像記憶領域１９１，１９２から画像データを読み出し、画像処理を行って、撮影画像の画像データとして、高解像度の画像データを表示画像記憶領域１９４に書き込む。
【００９０】
また、画像処理部１９は、読み出した撮影画像の画像データをフラッシュメモリ３０に書き込み、外部メモリＩ／Ｆ２８を介して外部メモリ３２に記録する（ステップＳ４２）。そして、制御部３１は、このシャッタボタン全押し操作処理を終了させる。
【００９１】
次に、この実施形態１に係るデジタルカメラ１の動作を具体的に説明する。
このデジタルカメラ１のユーザは、電源をオンして、図１３に示すような風景を撮影するものとする。
【００９２】
ユーザがダイレクト撮影ボタンを操作すると、制御部３１は、メインメニューのアイコンデータ、ＡＦ枠４１を処理画像記憶領域１９３から読み出し、表示座標を液晶モニタ１ｄの中心に指定して表示画像記憶領域１９４に書き込む（ステップＳ１１の処理）。
【００９３】
表示部２４は、表示画像記憶領域１９４から、このアイコンデータを読み出して、図１４に示すように、指定された表示座標ににより、ＡＦ枠４１を液晶モニタ１ｄの画面中央に表示し、メインメニューアイコンを液晶モニタ１ｄの上端に表示する。
【００９４】
また、制御部３１は、センサ画像記憶領域１９１，１９２から低解像度のスルー画像データを読み出して、表示座標を指定して表示画像記憶領域１９４に書き込む。
【００９５】
表示部２４は、表示画像記憶領域１９４からこのスルー画像データを読み出して、読み出したスルー画像を、図１４に示すように、液晶モニタ１ｄに表示する（ステップＳ１２の処理）。
【００９６】
ユーザが、デジタルカメラ１の向きを変えて、図１５に示すように、ＡＦ枠４１を家屋に合わせ、シャッタボタン１ａを半押しすると、制御部３１は、この家屋にピントを合わせる（ステップＳ２１の処理）。
【００９７】
レンズ駆動回路１５は、制御部３１から供給されたレンズ制御信号に基づいてピントが合う位置までレンズ１４を駆動する。また、制御部３１は、ＡＥ制御を行う（ステップＳ２２の処理）。
【００９８】
ユーザがデジタルカメラ１の向きを変えると、スルー画像は変化する。スルー画像が図１６に示すように変化すると、ピントを合わせた家屋の画像が移動するため、制御部３１は、ＡＦ枠４１を追従させてＡＦ制御を行う（ステップＳ２３の処理）。
【００９９】
制御部３１は、ＡＦ枠４１の表示座標と撮影設定のメニューアイコンの表示座標とが一致したと判定し（ステップＳ２４；Ｙｅｓ）、計測した時間が予め設定された時間を越えると（ステップＳ２６；Ｙｅｓ）、制御部３１は、図９に示すテーブルを参照し、撮影設定メニューが選択されたと判定する。
【０１００】
制御部３１は、このように判定すると、撮影設定メニューのアイコンデータを処理画像記憶領域１９３から読み出し、表示座標を指定して表示画像記憶領域１９４に書き込む。
【０１０１】
表示部２４は、このアイコンデータを表示画像記憶領域１９４から読み出して、図１７に示すように、撮影設定メニューアイコンを液晶モニタ１ｄに表示する（ステップＳ２７の処理）。
【０１０２】
この撮影設定メニューが液晶モニタ１ｄに表示されているときに、ユーザが、デジタルカメラ１の向きを変えると、制御部３１は、ＡＦ枠４１を追従させてＡＦ制御を行う（ステップＳ２３の処理）。
【０１０３】
スルー画像が図１８に示すように変化すると、制御部３１は、ＡＦ枠４１の表示座標とセルフタイマーメニューアイコンの表示座標とが一致したと判定する（ステップＳ２４；Ｙｅｓ）。また、計測した時間が予め設定された時間を越えると（ステップＳ２６；Ｙｅｓ）、制御部３１は、図９に示すテーブルを参照し、セルフタイマーメニューが選択されたと判定する。
【０１０４】
制御部３１は、このように判定すると、セルフタイマーメニューのアイコンデータを処理画像記憶領域１９３から読み出し、表示座標を指定して表示画像記憶領域１９４に書き込む。
【０１０５】
表示部２４は、表示画像記憶領域１９４から、このアイコンデータを読み出して、図１８に示すように、セルフタイマーメニューアイコンを液晶モニタ１ｄに表示する（ステップＳ２７の処理）。
【０１０６】
このセルフタイマーメニューが液晶モニタ１ｄに表示されているときに、ユーザが、デジタルカメラ１の向きを変えると、制御部３１は、ＡＦ枠４１を追従させてＡＦ制御を行う（ステップＳ２３の処理）。
【０１０７】
スルー画像が図１９に示すように変化すると、制御部３１は、ＡＦ枠４１の表示座標とセルフタイマーメニューの１０秒の表示座標とが一致したと判定する（ステップＳ２４；Ｙｅｓ）。また、計測した時間が予め設定された時間を越えると（ステップＳ２６；Ｙｅｓ）、制御部３１は、図９に示すテーブルを参照し、セルフタイマー１０秒が選択されたと判定する。
【０１０８】
セルフタイマーメニューは最下位層のメニューであるため（ステップＳ２８；Ｙｅｓ）、制御部３１は、コマンドを発行し、セルフタイマーを１０秒に設定する（ステップＳ２９の処理）。
【０１０９】
ユーザがシャッタボタン１ａを全押しすると、制御部３１は、シャッタボタン１ａを全押ししてから１０秒後に撮影を行う（ステップＳ４１の処理）。
【０１１０】
撮影が行われると、画像処理部１９は、センサ画像記憶領域１９１，１９２から高解像度の画像データを読み出し、画像処理を行って、この画像データを表示画像記憶領域１９４に書き込む。
【０１１１】
そして、画像処理部１９は、この画像データをフラッシュメモリ３０に書き込み、外部メモリＩ／Ｆ２８を介して外部メモリ３２に記録する（ステップＳ４２の処理）。
【０１１２】
以上説明したように、本実施形態１によれば、制御部３１は、液晶モニタ１ｄにスルー画像とＡＦ枠４１とメニューアイコンとを表示させ、デジタルカメラ１の向きが変わることにより、スルー画像が変化したとき、スルー画像の変化に基づいてＡＦ枠４１を移動させる。
【０１１３】
制御部３１は、ＡＦ枠４１が移動してＡＦ枠４１のスルー画像中における表示座標とメニューアイコンの表示座標とが一致したとき、図９に示すテーブルに従い、このメニューが選択されたものと判別して、メニューに従って処理を行うようにした。
【０１１４】
従って、タッチパネルを用いなくても液晶モニタ１ｄ上でメニュー選択のような画面操作処理を実行することができ、液晶モニタ１ｄに触れることもないので、液晶モニタ１ｄを汚すこともなく、メニュー選択を行うことができる。
【０１１５】
また、メニューを選択するためのキーを省くことができ、メニュー操作を容易に行うことができる。また、タッチパネルが実装されていないデジタルカメラ１において、ＧＵＩ（Graphical User Interface）と同じような操作が可能になる。
【０１１６】
（実施形態２）
実施形態２に係るデジタルカメラは、液晶モニタ１ｄに再生画像と縮小スルー画像とを表示して、縮小スルー画像内のＡＦ枠４１を用いて再生画像の位置を指定し、処理を行うようにしたものである。
【０１１７】
実施形態２に係るデジタルカメラ１は、図２０に示すように、拡大表示モードボタン１ｅを備える。
【０１１８】
この拡大表示モードボタン１ｅは、画像編集として、再生画像の指定された部分を拡大するモードを選択するときに押下されるボタンである。
【０１１９】
この拡大表示モードは、液晶モニタ１ｄに再生画像と縮小スルー画像とを表示して、縮小スルー画像内のＡＦ枠４１を用いて再生画像の表示倍率を変更し、再生画像の座標を指定するモードである。
【０１２０】
入力部２７は、この拡大表示モードボタン１ｅが押下されると、この操作情報を受け付けて制御部３１に供給する。
【０１２１】
制御部３１が備えるＲＯＭは、図２１に示すようなテーブルを予め記憶する。このテーブルは、ＡＦ枠４１のスルー画像中における座標（位置）と、再生画像の表示倍率を変更する座標と、の対応付けを行うためのものである。
【０１２２】
このテーブルは、例えば、拡大表示モードボタン１ｅ操作時、ＡＦ枠４１のスルー画像中における表示座標とスルー画像の座標（ｘ１，ｙ１）とが一致（対応）した場合、選択される処理内容は、再生画像の座標（ｘ１，ｙ１）を中心に再生画像の表示倍率を変更する処理であることを示す。
【０１２３】
次に実施形態２に係るデジタルカメラ１の動作を説明する。
制御部３１は、入力部２７から、ダイレクト再生モードボタンが押下された旨の操作情報が供給されると、ＲＯＭから、ダイレクト再生ボタン操作処理のプログラムデータを読み出し、図２２に示すフローチャートに従い、このダイレクト再生ボタン操作処理を実行する。
【０１２４】
制御部３１は、フラッシュメモリ３０又は外部メモリ３２から再生画像のデータを読み出して、この再生画像のデータを表示画像記憶領域１９４に書き込む（ステップＳ５１）。
【０１２５】
制御部３１は、再生画像を液晶モニタ１ｄに表示するように表示部２４を制御する（ステップＳ５２）。そして、制御部３１は、このダイレクト再生ボタン操作処理を終了させる。
【０１２６】
制御部３１は、入力部２７から、拡大表示モードボタン１ｅが操作された旨の操作情報が供給されると、ＲＯＭから、拡大表示モードボタン操作処理のプログラムデータを読み出し、図２３に示すフローチャートに従い、この拡大表示モードボタン操作処理を実行する。
【０１２７】
制御部３１は、レンズ駆動回路１５にレンズ制御信号を供給し、低解像度撮影を行うように、タイミング発生器１２に信号を供給し、縮小スルー画像を液晶モニタ１ｄに表示するように表示部２４を制御する（ステップＳ６１）。
【０１２８】
制御部３１は、縮小スルー画像内にＡＦ枠４１と表示倍率を指定するための倍率指定アイコンとを表示するように表示部２４を制御する（ステップＳ６２）。そして、制御部３１は、この拡大表示モードボタン操作処理を終了させる。
【０１２９】
制御部３１は、入力部２７から、シャッタボタン１ａが半押しされた旨の操作情報が供給されると、ＲＯＭから、シャッタボタン半押し操作処理（２）のプログラムデータを読み出し、図２４に示すフローチャートに従い、このシャッタボタン半押し操作処理（２）を実行する。
【０１３０】
制御部３１は、ＡＦ枠４１に対応する被写体を、ピントを合わせる被写体と判別して、このＡＦ枠４１内の被写体にピントを合わせる（ステップＳ７１）。
【０１３１】
制御部３１は、カラープロセス回路１７から輝度信号を取得してＡＥ制御を行う（ステップＳ７２）。
【０１３２】
制御部３１は、スルー画像が変化すると、その移動方向と移動後の位置とを判別し、判別したスルー画像の移動方向と移動後の位置とに基づいてＡＦ枠４１を被写体に追従させる（ステップＳ７３）。
【０１３３】
制御部３１は、ＡＦ枠４１の表示座標と倍率指定アイコンの表示座標とが一致したか否かを判定する（ステップＳ７４）。
【０１３４】
ＡＦ枠４１の表示座標と倍率指定アイコンの表示座標とが一致していないと判定した場合（ステップＳ７４；Ｎｏ）、制御部３１は、再度、ステップＳ７３を実行する。
【０１３５】
ＡＦ枠４１の表示座標と倍率指定アイコンの表示座標とが一致したと判定した場合（ステップＳ７４；Ｙｅｓ）、制御部３１は、ＡＦ枠４１の表示座標と倍率指定アイコンの表示座標とが一致したときからの時間を計測する（ステップＳ７５）。
【０１３６】
制御部３１は、ＲＯＭから、予め設定された時間を読み出して、計測した時間と比較し、計測した時間が、予め設定された時間を経過したか否かを判定する（ステップＳ７６）。
【０１３７】
計測した時間が、予め設定された時間を経過していないと判定した場合（ステップＳ７６；Ｎｏ）、制御部３１は、再度、ステップＳ７３〜７５を実行する。
【０１３８】
計測した時間が、予め設定された時間を経過したと判定した場合（ステップＳ７６；Ｙｅｓ）、制御部３１は、表示倍率を選択する（ステップＳ７７）。
【０１３９】
制御部３１は、入力部２７から供給された操作情報に基づいて、シャッタボタン１ａが全押しされたか否かを判定する（ステップＳ７８）。
【０１４０】
シャッタボタン１ａが全押しされていないと判定した場合（ステップＳ７８；Ｎｏ）、制御部３１は、入力部２７から供給された操作情報に基づいて、シャッタボタン１ａが解除されたか否かを判定する（ステップＳ８１）。
【０１４１】
シャッタボタン１ａが解除されていないと判定した場合（ステップＳ８１；Ｎｏ）、制御部３１は、再度、入力部２７から供給された操作情報に基づいて、シャッタボタン１ａが全押しされたか否かを判定する（ステップＳ７８）。
【０１４２】
シャッタボタン１ａが全押しされたと判定した場合（ステップＳ７８；Ｙｅｓ）、制御部３１は、図２１に示すテーブルを参照し、スルー画像におけるＡＦ枠４１の位置を示す座標と同じ座標を中心として再生画像の表示倍率を変更する（ステップＳ７９）。
【０１４３】
制御部３１は、変更した表示倍率を画像処理部１９に供給し、拡大した再生画像を液晶モニタ１ｄに表示するように画像処理部１９と表示部２４とを制御する（ステップＳ８０）。
【０１４４】
シャッタボタン１ａが解除されたと判定した場合（ステップＳ８０；Ｙｅｓ）、制御部３１は、元の表示倍率で再生画像を表示するように、画像処理部１９と表示部２４とを制御する。そして、制御部３１は、このシャッタボタン半押し操作処理（２）を終了させる。
【０１４５】
次にこの実施形態２に係るデジタルカメラ１の動作を具体的に説明する。
ダイレクト再生ボタン１ｃが操作されると、表示部２４は、図２５に示すような再生画像を液晶モニタ１ｄに表示させる（ステップＳ５１，Ｓ５２の処理）。
【０１４６】
拡大再生モードボタンが操作されると、表示部２４は、図２６に示すように、再生画像とともに縮小スルー画像Ｇtと倍率指定アイコンとを液晶モニタ１ｄに表示させる（ステップＳ６１の処理）。
【０１４７】
また、表示部２４は、図２６に示すように、縮小スルー画像Ｇt内においてＡＦ枠４１を表示させる（ステップＳ６２の処理）。
【０１４８】
制御部３１は、ＡＦ枠４１内の被写体にピントを合わせ、ＡＥ制御を行う（ステップＳ７１，Ｓ７２の処理）。
【０１４９】
ユーザが、デジタルカメラ１の向きを変えることにより、縮小スルー画像Ｇtが変化すると、制御部３１は、ＡＦ枠４１をピントを合わせた被写体に追従させる（ステップＳ７３の処理）。
【０１５０】
ＡＦ枠４１の座標が表示倍率１２５％の倍率指定アイコンの座標まで移動するように、ユーザがデジタルカメラ１の向きを変えると、制御部３１は、指定された表示倍率１２５％を選択する（ステップＳ７７の処理）。
【０１５１】
ユーザが、デジタルカメラ１の向きを変えてＡＦ枠４１の座標を座標（ｘ１，ｙ１）に設定し、シャッタボタン１ａを全押しすると（ステップＳ７８；Ｙｅｓ）、制御部３１は、図２１に示すテーブルを参照して、処理内容を判別し、変更した表示倍率を画像処理部１９に供給し、再生画像を拡大するように画像処理部１９を制御する。
【０１５２】
画像処理部１９は、表示画像のデータを表示画像記憶領域１９４から読み出して、処理画像記憶領域１９３に書き込んだ後、制御部３１から供給された表示倍率１２５％に基づき、図２８に示すように、スルー画像におけるＡＦ枠４１内の座標（ｘ１，ｙ１）と同じ位置（ｘ１，ｙ１）を中心に、指定された表示倍率１２５％で再生画像を拡大するように画像処理を行う。
【０１５３】
画像処理部１９は、拡大した表示画像のデータを表示画像記憶領域１９４に書き込む。表示部２４は、このデータを表示画像記憶領域１９４から読み出して、図２８に示すように、表示倍率１２５％に拡大した表示画像を液晶モニタ１ｄに表示する（ステップＳ７８〜Ｓ８０の処理）。
【０１５４】
ユーザが、シャッタボタン１ａを解除すると（ステップＳ８０；Ｙｅｓ）、画像処理部１９は、処理画像記憶領域１９３から、元の表示画像のデータを読み出して、表示画像記憶領域１９４に書き込む。
【０１５５】
表示部２４は、表示画像記憶領域１９４から、この表示画像のデータを読み出し、図２６に示すように、液晶モニタ１ｄに、元の表示倍率で再生画像を表示する（ステップＳ８２の処理）。
【０１５６】
以上説明したように、本実施形態２によれば、再生画像にスルー画像を重ねて表示し、デジタルカメラ１の向きが変わることによって移動した被写体にＡＦ枠４１を追従させ、移動したＡＦ枠４１により、対応する表示倍率を指定し、再生画像の位置を指定し、シャッタボタン１ａが全押しされたときに再生画像を拡大するようにした。
【０１５７】
従って、表示倍率を容易に指定することができ、再生画像を部分拡大する位置を容易に指定することができる。このため、アナログタッチパネル、マウス等を使用しなくても、液晶モニタ１ｄ上で、指定した位置を中心に再生画像を拡大する処理を実行することができる。
【０１５８】
尚、本発明を実施するにあたっては、種々の形態が考えられ、上記実施形態に限られるものではない。
例えば、上記実施形態では、撮像素子をＣＣＤとして説明した。しかし、撮像素子は、ＣＣＤに限られるものではなく、例えば、ＣＭＯＳ（Complementary Metal Oxide Semiconductor）によって構成されたものであってもよい。
【０１５９】
上記実施形態２では、制御部３１は、ＡＦ枠４１の座標と倍率指定アイコンの座標とが一致したときに一致した倍率指定アイコンの表示倍率を選択するようにした。しかし、倍率指定アイコンを表示せずに、シャッタボタン１ａが全押しされている間、再生画像を拡大（又は縮小）しつづけるようにデジタルカメラ１が構成されてもよい。
【０１６０】
また、再生画像を拡大するトリガは、シャッタボタン１ａが全押しされたときに限られるものではなく、スルー画像の動きによるものであってもよく、例えば、スルー画像の動きがなくなってから所定時間経過後に再生画像を拡大するようにしてもよい。
【０１６１】
上記実施形態２では、例として再生画像を拡大する場合について説明した。しかし、この場合に限らず、再生画像を縮小する場合でもよいし、また、再生画像のページ切り替え等を行うようにしてもよい。さらに、実施形態１と同じように、デジタルカメラ１は、液晶モニタ１ｄの上端に複数の再生メニューを表示させて、再生メニューを選択できるように構成されてもよい。
【０１６２】
上記実施形態２では、再生画像を表示している液晶モニタ１ｄに縮小したスルー画像を表示するようにした。しかし、例えば、シャッタボタン１ａが操作される毎に、再生画像とスルー画像とを交互に表示するようにしてもよいし、透過させたスルー画像を再生画像上に表示してもよいし、その表示形態は、上記実施形態２に限られるものではない。
【０１６３】
上記実施形態２では、画像編集の例として、表示倍率を変更する処理について説明した。しかし、画像編集は、これに限られるものではなく、例えば、スルー画像におけるＡＦ枠４１に対応する再生画像の位置を中心に、色を変えたり、輝度を変えたり、再生画像のページ切り替えを行ったりする処理であってもよい。
【０１６４】
上記実施形態２において、スルー画像の動き方向を操作に対応付けるようにした。しかし、スルー画像の動き方向だけでなく、加えてスルー画像の動き量と操作とを対応付けるようにしてもよい。
【０１６５】
例えば、小さな右方向の動きは、短い時間のアップキーの押し操作、大きな右方向の動きは、長い時間のアップキーの長押し操作として、スルー画像の動き方向に対応する操作の他、動き量に対応する操作時間も操作と対応付けて予め記憶する。このように、デジタルカメラ１が構成されることにより、ユーザは、意中の操作に対応する方向、大きさでデジタルカメラ１を動作させることができる。
【０１６６】
また、上記実施形態では、プログラムが、それぞれメモリ等に予め記憶されているものとして説明した。しかし、撮影装置を、装置の全部又は一部として動作させ、あるいは、上述の処理を実行させるためのプログラムを、フレキシブルディスク、ＣＤ−ＲＯＭ（Compact Disk Read-Only Memory）、ＤＶＤ（Digital Versatile Disk）、ＭＯ（Magneto Optical disk）などのコンピュータ読み取り可能な記録媒体に格納して配布し、これを別のコンピュータにインストールし、上述の手段として動作させ、あるいは、上述の工程を実行させてもよい。
【０１６７】
さらに、インターネット上のサーバ装置が有するディスク装置等にプログラムを格納しておき、例えば、搬送波に重畳させて、コンピュータにダウンロード等するものとしてもよい。
【図面の簡単な説明】
【０１６８】
【図１】本発明の実施形態１に係るデジタルカメラの構成を示すブロック図である。
【図２】図１に示すデジタルカメラの背面を示す図である。
【図３】図１に示す画像メモリの各記憶領域を示す図である。
【図４】ＡＦ枠を示す図である。
【図５】メニューの階層を示す図である。
【図６】メインメニューのアイコンを示す図である。
【図７】撮影設定メニューのアイコンを示す図である。
【図８】セルフタイマーのメニューアイコンを示す図である。
【図９】ＡＦ枠のスルー画像中における位置と撮影画像に対する処理内容とを対応付けるためのテーブルを示す図である。
【図１０】図１に示す制御部が実行するダイレクト撮影ボタン操作処理を示すフローチャートである。
【図１１】図１に示す制御部が実行するシャッタボタン半押し操作処理（１）を示すフローチャートである。
【図１２】シャッタボタン全押し操作処理を示すフローチャートである。
【図１３】撮影対象の具体例を示す図である。
【図１４】液晶モニタにメインメニューアイコンを表示した具体例を示す図である。
【図１５】ＡＦ枠を被写体に合わせた具体例を示す図である。
【図１６】ＡＦ枠をメインメニューの撮影設定に合わせたときの具体例を示す図である。
【図１７】撮影設定メニューを液晶モニタに表示した具体例を示す図である。
【図１８】セルフタイマーメニューを液晶モニタに表示した具体例を示す図である。
【図１９】ＡＦ枠をセルフタイマーメニューの１０秒に合わせた具体例を示す図である。
【図２０】本発明の実施形態２に係るデジタルカメラの背面を示す図である。
【図２１】ＡＦ枠のスルー画像中における位置を示す座標と再生画像の表示倍率を変更する位置を示す座標とを対応付けて記憶するテーブルを示す図である。
【図２２】制御部が実行するダイレクト再生ボタン操作処理を示すフローチャートである。
【図２３】制御部が実行する拡大表示モードボタン操作処理を示すフローチャートである。
【図２４】制御部が実行するシャッタボタン半押し操作処理（２）を示すフローチャートである。
【図２５】再生画像を液晶モニタに表示した具体例を示す図である。
【図２６】再生画像とスルー画像とを液晶モニタに表示した具体例を示す図である。
【図２７】スルー画像の変化が停止して拡大する再生画像の位置が指定された具体例を示す図である。
【図２８】指定された位置を中心にして再生画像を拡大した具体例を示す図である。
【符号の説明】
【０１６９】
１・・・デジタルカメラ、１ａ・・・シャッタボタン、１ｂ・・・ダイレクト撮影ボタン、１ｃ・・・ダイレクト再生ボタン、１ｄ・・・液晶モニタ、１ｅ・・・拡大表示モードボタン、１１・・・ＣＣＤ、３１・・・制御部、４１・・・ＡＦ枠
【図１】
0005135985.tif 000002
【図２】
0005135985.tif 000003
【図３】
0005135985.tif 000004
【図４】
0005135985.tif 000005
【図５】
0005135985.tif 000006
【図６】
0005135985.tif 000007
【図７】
0005135985.tif 000008
【図８】
0005135985.tif 000009
【図９】
0005135985.tif 000010
【図１０】
0005135985.tif 000011
【図１１】
0005135985.tif 000012
【図１２】
0005135985.tif 000013
【図１３】
0005135985.tif 000014
【図１４】
0005135985.tif 000015
【図１５】
0005135985.tif 000016
【図１６】
0005135985.tif 000017
【図１７】
0005135985.tif 000018
【図１８】
0005135985.tif 000019
【図１９】
0005135985.tif 000020
【図２０】
0005135985.tif 000021
【図２１】
0005135985.tif 000022
【図２２】
0005135985.tif 000023
【図２３】
0005135985.tif 000024
【図２４】
0005135985.tif 000025
【図２５】
0005135985.tif 000026
【図２６】
0005135985.tif 000027
【図２７】
0005135985.tif 000028
【図２８】
0005135985.tif 000029